(57)【要約】【課題】  回転軸の、軸方向への変位を抑制する工夫がなされたウォームギアユニットを提供する。【解決手段】  駆動源からの回転駆動力を受けて回転する回転軸と、回転軸の一端が当接し、回転軸の、一端側への移動を規制する移動規制部材と、回転軸に固定され、回転軸に直交する方向に対して一端側へ傾いたギア歯を有する１又は複数の第１ウォームと、回転軸に固定され、回転軸に直交する方向に対して一端に対する他端側へ傾いたギア歯を有する１又は複数の第２ウォームと、１つの第１ウォームに対して１つ配備された、第１ウォームと噛合し、連結される被回転駆動体に駆動源からの回転駆動力を伝達する１又は複数の第１ウォームホイールと、１つの第２ウォームに対して１つ配備された、第２ウォームと噛合し、連結される被回転駆動体に駆動源からの回転駆動力を伝達する１又は複数の第２ウォームホイールとを備えた。【選択図】        図２
2006070955.tif 000002
【特許請求の範囲】
【請求項１】
駆動源からの回転駆動力を受けて回転する回転軸と、
前記回転軸の一端が当接し、該回転軸の、該一端側への移動を規制する移動規制部材と、
前記回転軸に固定され、該回転軸に直交する方向に対して前記一端側へ傾いたギア歯を有する１又は複数の第１ウォームと、
前記回転軸に固定され、該回転軸に直交する方向に対して前記一端に対する他端側へ傾いたギア歯を有する１又は複数の第２ウォームと、
１つの前記第１ウォームに対して１つ配備された、該第１ウォームと噛合し、連結される被回転駆動体に前記駆動源からの回転駆動力を伝達する１又は複数の第１ウォームホイールと、
１つの前記第２ウォームに対して１つ配備された、該第２ウォームと噛合し、連結される被回転駆動体に前記駆動源からの回転駆動力を伝達する１又は複数の第２ウォームホイールとを備えたことを特徴とするウォームギアユニット。
【請求項２】
駆動源からの回転駆動力を受けて回転する回転軸と、
前記回転軸の一端が当接し、該回転軸の、該一端側への移動を規制する移動規制部材と、
前記回転軸に固定され、該回転軸に直交する直交方向に対して傾いたギア歯を有するウォームと、
前記ウォームと噛合し、連結される被回転駆動体に前記駆動源からの回転駆動力を伝達するウォームホイールと、
前記回転軸に取り付けられた、該回転軸の、前記直交方向への撓みを規制する撓み規制部材とを備えたことを特徴とするウォームギアユニット。
【請求項３】
駆動源からの回転駆動力を受けて回転する回転軸と、
前記回転軸の一端が当接し、該回転軸の、該一端側への移動を規制する移動規制部材と、
前記回転軸に固定され、該回転軸に直交する方向に対して傾いたギア歯を有するウォームと、
前記ウォームと噛合し、連結される被回転駆動体に前記駆動源からの回転駆動力を伝達するウォームホイールとを備え、
前記回転軸は、前記一端から該一端に対する他端へ向けて下方へ傾斜したものであることを特徴とするウォームギアユニット。
【発明の詳細な説明】
【技術分野】
【０００１】
本発明は、ウォーム、ウォームが固定されたウォーム軸、および、ウォームに噛合するウォームホイールを備えたウォームギアユニットに関する。
【背景技術】
【０００２】
従来より、モータに連結されて回転駆動する１本のウォーム軸上にウォームを複数取り付け、これらウォームに、感光体ロールやレジストロールあるいは中間転写ベルトの回転ロールなどの回転被駆動体の軸が固定されたウォームホイールをそれぞれ噛合させてモータや軸本数の低減を狙ったウォームギアユニットが知られている（例えば、特許文献１参照）。
【０００３】
図１は、従来のウォームギアユニットの概略構成図である。
【０００４】
図１に示すウォームギアユニット１００は、回転するウォーム軸１０１と、このウォーム軸１０１に固定された５つのウォーム１０２a、１０２ｂ、１０２ｃ、１０２ｄ、１０２ｅと、これらウォームに噛合するウォームホイール１０３a、１０３ｂ、１０３ｃ、１０３ｄ、１０３ｅと、ウォーム軸１０１の一方の端部を支持するスラストベアリング１０５ａとで構成されている。なお、これら５つのウォームは、固定されたウォーム軸に直交する方向に対してウォーム軸の一端へ傾いたギア歯を有する、いわゆるねじれ方向が右のものであり、スラストベアリング１０５ａは、土台１０５ｂに支持され、これらウォームと噛合した５つのウォームホイール１０３ａ、１０３ｂ、１０３ｃ、１０３ｄ、１０３ｅには、それぞれＣ、Ｍ、Ｙ、Ｋ各色用の感光体ロール１０４ａ、１０４ｂ、１０４ｃ、１０４ｄ、、中間転写体ベルト１０６を回転駆動する回転ロール１０４ｅが連結されている。中間転写ベルト１０６は、図１の奥側で回転ロール１０４ｅ、および、テンションロール１０６ａに巻き掛けられている。
【０００５】
図１には、ウォームギアユニット１００において、ウォーム軸１０１が図１に示す矢印Ａの向きに回転し各ウォームホイールが図１に示す矢印Ｂの向きに回転することにより、ウォーム軸１０１に発生した駆動反力のうちの軸方向に沿った分力Ｔ１、Ｔ２、Ｔ３、Ｔ４、Ｔ５が示されている。
【特許文献１】特開平１０−２２１９１０号公報
【発明の開示】
【発明が解決しようとする課題】
【０００６】
ところで、図１に示すようなウォームギアユニット１００では、ウォーム軸１０１に発生する駆動反力のうちの上述の分力Ｔ１からＴ５によりウォーム軸１０１がスラストベアリング１０５ａに押し付けられることでウォーム軸１０１に発生する、ウォーム軸の変位によってウォームとウォームホイールとの噛み合いがズレて画像品質の劣化が引き起こされるおそれがある。
【０００７】
本発明は、上記事情に鑑み、ウオーム軸の変位を抑制する工夫がなされたウォームギアユニットを提供することを目的とする。
【課題を解決するための手段】
【０００８】
上記目的を達成するための本発明のウォームギアユニットうちの第１のウォームギアユニットは、
駆動源からの回転駆動力を受けて回転する回転軸と、
上記回転軸の一端が当接し、この回転軸の、この一端側への移動を規制する移動規制部材と、
上記回転軸に固定され、この回転軸に直交する方向に対して上記一端側へ傾いたギア歯を有する１又は複数の第１ウォームと、
上記回転軸に固定され、この回転軸に直交する方向に対して上記一端に対する他端側へ傾いたギア歯を有する１又は複数の第２ウォームと、
１つの上記第１ウォームに対して１つ配備された、この第１ウォームと噛合し、連結される被回転駆動体に上記駆動源からの回転駆動力を伝達する１又は複数の第１ウォームホイールと、
１つの上記第２ウォームに対して１つ配備された、この第２ウォームと噛合し、連結される被回転駆動体に上記駆動源からの回転駆動力を伝達する１又は複数の第２ウォームホイールとを備えたことを特徴とする。
【０００９】
本発明の第１のウォームギアユニットでは、互いにギア歯のねじれ方向が異なる第１ウォームと第２ウォームとが併用されている。これにより、本発明の第１のウォームギアユニットでは、回転軸に発生する駆動反力のうち回転軸の軸方向に発生する分力により回転軸が移動規制部材に押し付けられる力を、これら２種類のウォームのうちの一方のみを用いる場合に比べ抑制することができ、このため、回転軸の、軸方向への変位を抑制することができる。
【００１０】
上記目的を達成するための本発明のウォームギアユニットうちの第２のウォームギアユニットは、
駆動源からの回転駆動力を受けて回転する回転軸と、
上記回転軸の一端が当接し、この回転軸の、この一端側への移動を規制する移動規制部材と、
上記回転軸に固定され、この回転軸に直交する直交方向に対して傾いたギア歯を有するウォームと、
上記ウォームと噛合し、連結される被回転駆動体に上記駆動源からの回転駆動力を伝達するウォームホイールと、
上記回転軸に取り付けられた、この回転軸の、上記直交方向への撓みを規制する撓み規制部材とを備えたことを特徴とする。
【００１１】
本発明の第２のウォームギアユニットでは、回転軸の、回転軸に直交する直交方向への撓みを規制する撓み規制部材が備えられている。つまり、本発明の第２のウォームギアユニットでは、回転軸に発生する駆動反力のうち回転軸の軸方向に直交する方向に発生する分力に対し、回転軸を撓み規制部材で規制することで、回転軸の、軸直角方向への変位を抑制している。
【００１２】
上記目的を達成するための本発明のウォームギアユニットうちの第３のウォームギアユニットは、
駆動源からの回転駆動力を受けて回転する回転軸と、
上記回転軸の一端が当接し、この回転軸の、この一端側への移動を規制する移動規制部材と、
上記回転軸に固定され、この回転軸に直交する方向に対して傾いたギア歯を有するウォームと、
上記ウォームと噛合し、連結される被回転駆動体に上記駆動源からの回転駆動力を伝達するウォームホイールとを備え、
上記回転軸は、上記一端からこの一端に対する他端へ向けて下方へ傾斜したものであることを特徴とする。
【００１３】
本発明の第３のウォームギアユニットでは、回転軸に発生する駆動反力のうち軸方向に沿った分力が向かう移動規制部材側の一端から、この一端に対する他端へ向けて下方へ回転軸が傾斜している。これにより、本発明の第３のウォームギアユニットでは、回転軸に発生する駆動反力のうち回転軸の軸方向の分力により回転軸が移動規制部材に押し付けられる力を、この回転軸にかかる重力のうちの回転軸に沿った分力で弱めることができ、このため、回転軸の、軸方向への変位を抑制することができる。
【発明の効果】
【００１４】
本発明のウォームギアユニットによれば、回転軸の変位を抑制することで画像品質の劣化を抑制することができる。
【発明を実施するための最良の形態】
【００１５】
以下、本発明のウォームギアユニットの実施形態について説明する。
【００１６】
図２は、本発明の第１のウォームギアユニットの第１実施形態の概略構成図である。
【００１７】
図２に示すウォームギアユニット１は、ウォーム軸１１と、ウォーム軸１１に固定された、ねじれ方向が右の４つの第１ウォーム１２a、１２ｂ、１２ｃ、１２ｄ、および、ねじれ方向が左の第２ウォーム１７と、これらウォームに噛合する第１ウォームホイール１３ａ、１３ｂ、１３ｃ、１３ｄ、および、第２ウォームホイール１８と、ウォーム軸１１の一端を支持するスラストベアリング１５ａとで構成されている。なお、スラストベアリング１５ａは、土台１５ｂに支持され、これらウォームと噛合した５つのウォームホイール１３ａ、１３ｂ、１３ｃ、１３ｄ、１８には、それぞれＣ、Ｍ、Ｙ、Ｋ各色用の感光体ロール１４ａ、１４ｂ、１４ｃ、１４ｄ、中間転写体ベルト１６を回転駆動する回転ロール１４ｅが連結されている。中間転写ベルト１６は、図２の奥側でこの回転ロール１４ｆ、および、テンションロール１６ａに巻き掛けられている。
【００１８】
図２には、ウォームギアユニット１において、ウォーム軸１１が図２に示す矢印Ａの向きに回転し各ウォームホイールが図２に示す矢印Ｂおよび矢印Ｃの向きに回転することによりウォーム軸１１に発生する駆動反力のうち、ウォーム軸１１の軸方向に、図２における左向きの分力Ｔ１、Ｔ２、Ｔ３、Ｔ４と、図２における右向きの分力Ｔ５とが示されている。
【００１９】
本実施形態のウォームギアユニット１では、互いにギア歯のねじれ方向が異なる第１ウォームと第２ウォームとが併用されている。これにより、このウォームギアユニット１では、ウォーム軸１１に発生する駆動反力のうちウォーム軸１１の軸方向の分力による、このウォーム軸１１をスラストベアリング１５ａに押し付ける力を、これら２種類のウォームのうち第１ウォームのみを用いる場合に比べ抑制することができ、このため、ウォーム軸１１の、軸方向への変位を抑制することができる。したがって、本実施形態のウォームギアユニット１によれば、画像品質の劣化を抑制することができる。
【００２０】
図３は、本発明の第１のウォームギアユニットの第２実施形態の概略構成図である。
【００２１】
図３に示すウォームギアユニット２は、矢印Ａの向きに回転するウォーム軸２１と、このウォーム軸２１に交互に取り付けられた、ねじれ方向が右の第１ウォーム２２ａ、２２ｂ、２２ｃ、２２ｄ、および、ねじれ方向が左の第２ウォーム２３ａ、２３ｂ、２３ｃ、２３ｄと、これらウォームと噛合した第１ウォームホイール２４ａ、２４ｂ、２４ｃ、２４ｄ、および、第２ウォームホイール２５ａ、２５ｂ、２５ｃ、２５ｄと、スラストベアリング２６ａとで構成されている。矢印Ａの向きに回転する第１ウォームに噛合することで矢印Ｂの方向に回転する第１ウォームホイール２４ａ、２４ｂ、２４ｃ、２４ｄは不図示のＣ、Ｍ、Ｙ、Ｋ各色用の感光体ロールに連結されており、矢印Ａの向きに回転する第２ウォームに噛合することで矢印Ｃの方向に回転する第２ウォームホイール２５ａ、２５ｂ、２５ｃ、２５ｄはＣ、Ｍ、Ｙ、Ｋ各色用の感光体ロールにそれぞれ対向して配備された不図示の現像ロールに連結されている。
【００２２】
図３には、ウォーム軸２１に発生する駆動反力のうち、図３における左向きの分力Ｔ１、Ｔ３、Ｔ５、Ｔ７、および、図３における右向きの分力Ｔ２、Ｔ４、Ｔ６、Ｔ８が示されている。
【００２３】
本実施形態のウォームギアユニット２でも、互いにギア歯の向きが異なる第１ウォームと第２ウォームとが併用されている。これにより、このウォームギアユニット２では、ウォーム軸２１に発生する駆動反力のうちウォーム軸の軸方向の分力による、このウォーム軸２１をスラストベアリング２６ａに押し付ける力を、これら２種類のウォームのうち第１ウォームのみを用いる場合に比べ抑制することができ、このため、ウォーム軸２１の、軸方向への変位を抑制することができる。したがって、本実施形態のウォームギアユニット２によっても、画像品質の劣化を抑制することができる。
【００２４】
図４は、本発明の第２のウォームギアユニットの一実施形態の概略構成図である。
【００２５】
図４（ａ）に示すウォームギアユニット３は、矢印Ａの向きに回転するウォーム軸３１と、このウォーム軸３１に取り付けられた、ねじれ方向が右のウォーム３１ａ、３１ｂ、３１ｃ、３１ｄと、これらウォームと噛合したウォームホイール３２ａ、３２ｂ、３２ｃ、３２ｄと、スラストベアリング３３ａと、ウォーム軸３１の撓みを規制する撓み規制部材３４とで構成されている。矢印Ａの向きに回転するウォームに噛合することで矢印Ｂの向きに回転するウォームホイール３２ａ、３２ｂ、３２ｃ、３２ｄは、不図示のＣ、Ｍ、Ｙ、Ｋ各色用の感光体ロールに連結されている。また、図４（ａ）には、ウォーム軸３１に発生する駆動反力のうち、軸方向に沿った分力Ｔ１、Ｔ２、Ｔ３、Ｔ４が示されている。
【００２６】
図４（ｂ）には、図４（ａ）に示すウォームギアユニット３の矢視Ｄが示されており、図４（ｂ）に示す撓み規制部材３４に、ウォーム軸３１に発生する駆動反力のうちの分力Ｘが図４（ｂ）における右向きに働き、分力Ｙが図４（ｂ）における下向きに働いている様子が示されている。さらに、図４（ｂ）に示す撓み規制部材３４に、ウォーム軸３１にかかる重力ｙが下向きに働いている様子も示されている。
【００２７】
以上説明したように、本実施形態のウォームギアユニット３では、ウォーム軸３１に発生する駆動反力のうちウォーム軸３１に直交する直交方向に発生する分力Ｘおよび分力Ｙと、さらには重力ｙにも着目し、ウォーム軸３１を撓み規制部材３４で規制することで、ウォーム軸３１の、軸方向への変位を抑制することができる。したがって、本実施形態のウォームギアユニット３によっても、画像品質の劣化を抑制することができる。
【００２８】
図５は、本発明の第３のウォームギアユニットの一実施形態の概略構成図である。
【００２９】
図５に示すウォームギアユニット４は、矢印Ａの向きに回転する、右端を下に傾けた状態のウォーム軸４１と、このウォーム軸４１に取り付けられた、ねじれ方向が右のウォーム４２ａ、４２ｂ、４２ｃ、４２ｄと、これらウォームと噛合したウォームホイール４３ａ、４３ｂ、４３ｃ、４３ｄと、スラストベアリング４４ａとで構成されている。矢印Ａの向きに回転するウォームに噛合することで矢印Ｂの方に回転するウォームホイール４３ａ、４３ｂ、４３ｃ、４３ｄは、不図示のＣ、Ｍ、Ｙ、Ｋ各色用の感光体ロールに連結されている。
【００３０】
図５では、ウォーム軸４１に沿って左斜め上向きの、駆動反力の分力Ｔ１、Ｔ２、Ｔ３、Ｔ４と、ウォーム軸４１にかかる重力のうち軸方向の分力Ｔ５とが示されている。
【００３１】
本実施形態のウォームギアユニット４では、ウォーム軸４１に発生する駆動反力のうちウォーム軸４１の軸方向に発生する分力によりウォーム軸４１がスラストベアリング４４ａに押し付けられる力を、このウォーム軸４１にかかる重力のうちのウォーム軸４１に沿った分力で弱めることができ、このため、ウォーム軸４１の、軸方向への変位を抑制することができる。したがって、本実施形態のウォームギアユニット４によれば、画像品質の劣化を抑制することができる。
【図面の簡単な説明】
【００３２】
【図１】従来のウォームギアユニットの概略構成図である。
【図２】本発明の第１のウォームギアユニットの第１実施形態の概略構成図である。
【図３】本発明の第１のウォームギアユニットの第２実施形態の概略構成図である。
【図４】本発明の第２のウォームギアユニットの一実施形態の概略構成図である。
【図５】本発明の第３のウォームギアユニットの一実施形態の概略構成図である。
【符号の説明】
【００３３】
１  ウォームギアユニット
１１  ウォーム軸
１２ａ、１２ｂ、１２ｃ、１２ｄ  第１ウォーム
１３ａ、１３ｂ、１３ｃ、１３ｄ  第１ウォームホイール
１４ｆ  回転ロール
１４ｂ、１４ｃ、１４ｄ、１４ｅ  感光体ロール
１５ａ  スラストベアリング
１５ｂ  土台
１６  中間転写体ベルト
１６ａ  テンションロール
１７  第２ウォーム
１８  第２ウォームホイール
３４  撓み規制部材
【図１】
2006070955.tif 000003
【図２】
2006070955.tif 000004
【図３】
2006070955.tif 000005
【図４】
2006070955.tif 000006
【図５】
2006070955.tif 000007